【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
クリーム状の泡を有するビールの分注システムであって、
移送管と
を備え、
前記移送管は、
付属品と、
圧縮管と、
前記付属品および前記圧縮管に接続されるラインと
を備え、
前記分注システムは、さらに、カプラを備え、
前記カプラは、本体を備え、
前記本体は、
頂部端と、
前記ケグと係合可能なケグ係合端と、
前記本体を通る穴と
を備え、
前記移送管の前記付属品は、前記頂部端を通って前記穴に取り外し可能に挿入され、
前記本体は、さらに、前記本体に枢動可能に接続されるレバーを備え、
前記レバーは、前記付属品がケグ弁アセンブリを開け、それによって、ビールが前記ケグから前記移送管を通って流れやすくなるように、非係合位置から、前記穴内で前記付属品を押し下げる係合位置まで、移動可能であり、
前記分注システムは、さらに、コックを備え、
前記コックは、
前記移送管の第２の端部がビールを前記コックから送出するように前記第２の端部を受け入れるように構成された圧縮管受入部と
前記圧縮管受入部に連通するプランジャーと、
前記プランジャーに連結されたハンドルと
を備え、
前記ハンドルは、
前記コックからビールが流れないように、前記プランジャーが前記移送管を圧迫して閉じる閉位置と、
前記コックからビールが流れるように、前記プランジャーが前記移送管から実質的に完全に持ち上がる開位置と、
前記移送管に形成された孔が前記コックからのクリーム状の泡の流れを作り出すような距離だけ前記プランジャーが前記移送管から持ち上がるクリーム状泡位置と
の間で移動可能である
クリーム状の泡を有するビールの分注システム。
【請求項２】
請求項１に記載のクリーム状の泡を有するビールの分注システムであって、
前記移送管は、前記カプラの頂部端および前記コックから取り外し可能であり、使い捨てである
クリーム状の泡を有するビールの分注システム。
【請求項３】
請求項１に記載のクリーム状の泡を有するビールの分注システムであって、
前記ラインは、流速を最適化するための一定の長さおよび直径を有する
クリーム状の泡を有するビールの分注システム。
【請求項４】
請求項１に記載のクリーム状の泡を有するビールの分注システムであって、
前記カプラは、さらに、前記付属品を穴内に保持するばねピンを備える
クリーム状の泡を有するビールの分注システム。
【請求項５】
請求項１に記載のクリーム状の泡を有するビールの分注システムであって、
前記本体は、さらに、前記穴と連通するガス入口を備え、
前記付属品によって前記ケグ弁アセンブリを開けることで、ガスが前記穴を通って前記ケグに流れやすくする
クリーム状の泡を有するビールの分注システム。
【請求項６】
クリーム状の泡を有するビールの分注システムであって、
取り外し可能にケグに固定可能なカプラと、
移送管と
を備え、
前記移送管は、
前記カプラと係合可能な付属品であって、前記移送管の前記付属品が前記カプラと係合したときに、ビールが前記ケグから前記移送管を通って流れる付属品と、
圧縮管と、
前記付属品および前記圧縮管に接続されるラインと
を備え、
前記分注システムは、さらに、コックを備え、
前記コックは、
プランジャーと、
第１のハウジング本体と
を備え、
前記第１のハウジング本体は、
前記圧縮管がビールを前記コックから送出するように前記移送管の前記圧縮管を受け入れるように構成された圧縮管受入部と、
前記圧縮管受入部と連通するプランジャーシャフトであって、前記プランジャーが前記圧縮管受入部と連通するように前記プランジャーの少なくとも一部分を受け入れるように構成されたプランジャーシャフトと、
前記プランジャーに連結されるハンドルと
を備え、
前記ハンドルは、
前記コックからビールが流れないように、前記プランジャーが前記移送管の前記圧縮管を圧迫して閉じる閉位置と、
前記コックからビールが流れるように、前記プランジャーが前記移送管の前記圧縮管から実質的に完全に持ち上がる開位置と、
前記圧縮管に形成された孔が前記コックからのクリーム状の泡の流れを作り出すような距離だけ前記プランジャーが前記移送管の前記圧縮管から持ち上がるクリーム状泡位置と
の間で移動可能である
クリーム状の泡を有するビールの分注システム。
【請求項７】
請求項６に記載のクリーム状の泡を有するビールの分注システムであって、
前記プランジャーは、通常時に、前記閉位置において前記圧縮管に対して付勢されるプランジャー頭部を備え、
前記プランジャー頭部は、前記コックからビールが流れないように前記圧縮管を圧迫して閉める
クリーム状の泡を有するビールの分注システム。
【請求項８】
請求項７に記載のクリーム状の泡を有するビールの分注システムであって、
前記第１のハウジング本体は、前記圧縮管受入部に隣接するステージを備え、
前記プランジャー頭部は、前記圧縮管を前記ステージに対して圧迫して閉めて前記コックからビールが流れることを防止する
クリーム状の泡を有するビールの分注システム。
【請求項９】
請求項８に記載のクリーム状の泡を有するビールの分注システムであって、
前記プランジャー頭部は、溝を有し、
前記クリーム状泡位置において、前記プランジャー頭部の前記溝は、クリーム状の泡を有するビールの前記コックからの流れを作り出す前記孔の形成を容易にする
クリーム状の泡を有するビールの分注システム。
【請求項１０】
請求項６に記載のクリーム状の泡を有するビールの分注システムであって、
前記圧縮管受入部は、前記圧縮管の止め部に接触して前記圧縮管の前記圧縮管受入部への挿入を停止させるテーパ部を備える
クリーム状の泡を有するビールの分注システム。
【請求項１１】
請求項６に記載のクリーム状の泡を有するビールの分注システムであって、
前記コックは、さらに、前記第２のハウジング本体であって、該第２のハウジング本体の内部で前記第１のハウジング本体を支持する第２のハウジング本体を備える
クリーム状の泡を有するビールの分注システム。
【請求項１２】
請求項１に記載のクリーム状の泡を有するビールの分注システムであって、
前記ハンドルは、前記プランジャーが前記移送管から持ち上がる距離を調節できるように調節可能である
クリーム状の泡を有するビールの分注システム。
【請求項１３】
請求項１に記載のクリーム状の泡を有するビールの分注システムであって、
前記ハンドルは、
レンズと、
ラベルを受け入れるように構成されたインサートと、
前記インサートを内部に受け入れるように構成された主本体であって、前記レンズが前記インサートを前記主本体内に保持するように前記レンズを受け入れるように構成された主本体と
を備え、
前記レンズおよび前記インサートは、前記インサートによって新たなラベルを受け入れることができるように前記主本体から取り外し可能である
クリーム状の泡を有するビールの分注システム。
【請求項１４】
請求項１に記載のクリーム状の泡を有するビールの分注システムであって、
さらに、冷蔵モジュールを備え、
前記冷蔵モジュールは、ケグを内部に受け入れるように構成された本体を備え、
前記本体は、
開口を有する頂部と、
塔部であって、前記本体からの冷却空気が前記塔部内に流れるように前記開口の全体に亘って前記本体の前記頂部に取り付けられる塔部と
を備える、クリーム状の泡を有するビールの分注システム。
【請求項１５】
請求項１４に記載のクリーム状の泡を有するビールの分注システムであって、
前記コックは、前記塔部に取り付けられ、
前記コックは、冷却空気が前記塔部から前記コックを通って流れ、それによって、前記コックを冷却するように、前記コックを通って前記塔部と連通する通路を備えた
クリーム状の泡を有するビールの分注システム。
【請求項１６】
ビール分注システムのためのカプラであって、
本体を備え、
前記本体は、
頂部端と、
ケグと係合可能なケグ係合端と、
前記本体を通る穴と
を備え、
移送管の付属品が、前記頂部端を通って前記穴に取り外し可能に挿入され、
前記カプラは、さらに、前記本体に枢動可能に接続されるレバーであって、非係合位置から係合位置まで移動可能であるレバーを備え、
前記レバーを前記係合位置まで枢動することによって、前記レバーが、移動して、付属品が前記穴に配置される場合に該付属品と接触し、前記付属品がケグ弁アセンブリを開け、それによって、ビールが前記ケグから前記移送管を通って流れやすくなるように、前記穴内で前記付属品を押し下げ、
前記レバーを前記非係合位置まで枢動することによって、前記レバーが、移動して、付属品が前記穴に配置される場合に該付属品と非接触の状態になり、それによって、前記付属品を解放して、前記穴内を上方に移動させてケグ弁アセンブリから離れ、前記ケグ弁アセンブリが閉じてビールが前記ケグから前記移送管を通って流れるのを停止させ、
前記レバーを前記非係合位置まで枢動することによって、前記レバーが前記穴から離れ、制限されずに前記穴にアクセスできるようになり、それによって、付属品が前記穴内にない場合に、付属品を、前記頂部端を通って前記穴に挿入することができ、付属品が前記穴内にある場合に、該付属品を、前記頂部端を通って前記穴から取り出すことができる
ビール分注システムのためのカプラ。
【請求項１７】
請求項１６に記載のビール分注システムのためのカプラであって、
前記カプラは、さらに、前記本体に連結されるとともに、前記本体を通って延在するばねピンを備え、
前記ばねピンは、
該ばねピンが前記穴内に延在して該穴へのアクセスを制限し、それによって前記付属品が前記穴内に維持される第１の位置から、
前記ばねピンが前記穴から後退して、制限されずに前記穴にアクセスでき、それによって、前記頂部端を通って前記付属品を前記穴に挿入すること、および、前記頂部端を通って前記付属品を前記穴から取り出すことができる第２の位置まで
移動可能である
ビール分注システムのためのカプラ。
【請求項１８】
請求項１６に記載のビール分注システムのためのカプラであって、
前記本体は、さらに、前記穴と連通するガス入口を備え、
前記付属品によって前記ケグ弁アセンブリを開けることで、ガスが前記穴を通って前記ケグに流れやすくなる
ビール分注システムのためのカプラ。
【請求項１９】
ビール分注システムのための移送管を交換する方法であって、
前記移送管の付属品がケグ弁アセンブリを解放し、それによって、ビールが前記ケグから前記移送管を通って流れることを防止するように、カプラのレバーを係合位置から非係合位置まで移動させる工程と、
前記付属品を前記カプラの頂部端から取り外す工程と、
前記移送管をコックから取り外す工程と、
前記取り外された移送管を廃棄する工程と、
新たな移送管のビール分注端を前記コックに挿入する工程と、
前記新たな移送管の付属品を前記カプラの前記頂部端を通して前記カプラの穴に挿入する工程と、
前記カプラの前記レバーをその非係合位置からその係合位置まで移動させ、それによって、前記付属品が前記ケグ弁アセンブリを開くように前記レバーが前記穴内で前記付属品を押し下げ、それによって、ビールが前記ケグから前記移送管を通って流れやすくする工程と
を備える、ビール分注システムのための移送管を交換する方法。
【請求項２０】
請求項１９に記載のビール分注システムのための移送管を交換する方法であって、
さらに、前記付属品が前記カプラの前記頂部端から取り外されるとともに前記移送管が前記コックから取り外された後に、前記移送管を前記ビール分注システムの塔部から取り外す工程を備える
ビール分注システムのための移送管を交換する方法。
【請求項２１】
請求項１９に記載のビール分注システムのための移送管を交換する方法であって、
さらに、前記付属品を前記カプラの前記頂部端および前記ビール分注端を通して前記コックに挿入する前に、前記新たな移送管を前記ビール分注システムの塔部に挿入する工程を備える
ビール分注システムのための移送管を交換する方法。
【請求項２２】
請求項６に記載のクリーム状の泡を有するビールの分注システムであって、
前記移送管は、前記カプラの頂部端および前記コックから取り外し可能であり、使い捨てである
クリーム状の泡を有するビールの分注システム。
【請求項２３】
請求項６に記載のクリーム状の泡を有するビールの分注システムであって、
前記ラインは、流速を最適化するための一定の長さおよび直径を有する
クリーム状の泡を有するビールの分注システム。
【請求項２４】
請求項６に記載のクリーム状の泡を有するビールの分注システムであって、
前記ハンドルは、前記プランジャーが前記移送管から持ち上がる距離を調節できるように、調節可能である
クリーム状の泡を有するビールの分注システム。
【請求項２５】
請求項６に記載のクリーム状の泡を有するビールの分注システムであって、
前記ハンドルは、
レンズと、
ラベルを受け入れるように構成されたインサートと、
前記インサートを内部に受け入れるように構成された主本体であって、前記レンズが前記インサートを前記主本体内に保持するように前記レンズを受け入れるように構成された主本体と
を備え、
前記レンズおよび前記インサートは、前記インサートによって新たなラベルを受け入れることができるように前記主本体から取り外し可能である
クリーム状の泡を有するビールの分注システム。
【請求項２６】
請求項６に記載のクリーム状の泡を有するビールの分注システムであって、
さらに、冷蔵モジュールを備え、
前記冷蔵モジュールは、ケグを内部に受け入れるように構成された本体を備え、
前記本体は、
開口を有する頂部と、
塔部であって、前記本体からの冷却空気が前記塔部内に流れるように前記開口の全体に亘って前記本体の前記頂部に取り付けられる塔部と
を備える
クリーム状の泡を有するビールの分注システム。
【請求項２７】
請求項２６に記載のクリーム状の泡を有するビールの分注システムであって、
前記コックは、前記塔部に取り付けられ、
前記コックは、冷却空気が前記塔部から前記コックを通って流れ、それによって、前記コックを冷却するように、前記コックを通って前記塔部と連通する通路を備えた
クリーム状の泡を有するビールの分注システム。